(57)【要約】【課題】  付着した汚れを洗浄しやすくかつ小型化が可能で信頼性が高いノズル装置およびそれを備えた衛生洗浄装置を提供する。【解決手段】  噴出孔４０１ａは、孔部２５よりも径が大きくなるように形成されている。ノズルカバー４０１の平坦部４０１ｄにおいて、噴出孔４０１ａを含む領域に円形の凹部４０１ｃが設けられている。流路合流部４０４の先端部には、ノズルカバー４０１の先端部の内面に沿った曲面形状を有する位置固定片４０４ｃが形成されている。位置固定片４０４ｃの先端がノズルカバー４０１の先端の内面に支持されることにより、ノズルカバー４０１内で流路合流部４０４が軸方向に位置決めされる。また、流路合流部４０４の下面において、縮流部２５ｃの両側には、ノズルカバー４０１の内面に沿った曲面形状を有する突起４０４ｄ，４０４ｅが設けられている。【選択図】        図１６
2005030094.tif 000002
【特許請求の範囲】
【請求項１】
噴出孔から洗浄水を噴出するノズル装置であって、
洗浄水を前記噴出孔に導く第１の流路を形成する管路と、
前記噴出孔を有し、前記管路を取り囲むように設けられかつ先端部が閉じられ、前記管路との間に洗浄水を前記噴出孔に導く第２の流路を形成する筒状のカバー部材と、
前記管路の先端に設けられるとともに孔部を有し、前記第１の流路から供給される洗浄水と前記第２の流路から供給される洗浄水とを合流させて前記孔部に導く噴出部材と、
前記孔部が前記噴出孔に対して位置決めされるように前記カバー部材内で前記噴出部材を位置決めするための位置決め部とを備えたことを特徴とするノズル装置。
【請求項２】
前記位置決め部は、
前記カバー部材に形成された第１の平坦部と、
前記噴出部材に形成された第２の平坦部とを含み、
前記噴出部材の前記第２の平坦部が前記カバー部材の前記第１の平坦部に対向するように前記管路が前記カバー部材に挿入されたことを特徴とする請求項１記載のノズル装置。
【請求項３】
前記噴出孔は、前記カバー部材の前記第１の平坦部に形成され、前記孔部は、前記噴出部材の前記第２の平坦部に形成されたことを特徴とする請求項２記載のノズル装置。
【請求項４】
前記噴出孔の周囲における前記カバー部材の前記第１の平坦部と前記孔部の周囲における前記噴出部材の前記第２の平坦部との間を水密にシールする環状のシール部材をさらに備えたことを特徴とする請求項３記載のノズル装置。
【請求項５】
前記カバー部材の前記第１の平坦部の前記孔部を含む領域に凹部が形成されたことを特徴とする請求項３または４記載のノズル装置。
【請求項６】
前記凹部は、０．１ｍｍ〜０．３ｍｍの深さを有することを特徴とする請求項５記載のノズル装置。
【請求項７】
前記位置決め部は、
前記カバー部材の後端部に設けられた係合部と、
前記管路の後端部に設けられ、前記係合部が係合する被係合部とを含むことを特徴とする請求項１〜６のいずれかに記載のノズル装置。
【請求項８】
前記位置決め部は、
前記噴出部材の先端部に設けられ、前記カバー部材の先端部の内面に当接する先端当接部を含むことを特徴とする請求項１〜７のいずれかに記載のノズル装置。
【請求項９】
前記位置決め部は、
前記噴出部材に設けられ、前記カバー部材の内周面に当接する周面当接部を含むことを特徴とする請求項１〜８のいずれかに記載のノズル装置。
【請求項１０】
前記カバー部材の先端部は、略半球形状を有することを特徴とする請求項１〜９のいずれかに記載のノズル装置。
【請求項１１】
前記カバー部材は、一体的に形成された周壁部および先端部を有することを特徴とする請求項１〜１０のいずれかに記載のノズル装置。
【請求項１２】
前記カバー部材は、ステンレスよりなることを特徴とする請求項１〜１１のいずれかに記載のノズル装置。
【請求項１３】
前記噴出孔は、前記孔部よりも大きい内径を有することを特徴とする請求項１〜１２のいずれかに記載のノズル装置。
【請求項１４】
前記噴出部材は、一端側に開口部を有しかつ他端側に前記孔部を有する噴出空間を形成し、
前記第１の流路の洗浄水は、前記噴出空間の周面側から前記噴出空間に導かれ、
前記第２の流路の洗浄水は、前記開口部側から前記噴出空間に導かれ、
前記噴出空間は、前記開口部から前記孔部まで段階的または連続的に減少する断面積を有することを特徴とする請求項１〜１３のいずれかに記載のノズル装置。
【請求項１５】
前記噴出空間は、前記開口部側から前記孔部側へ第１の内径を有する第１の空間、前記第１の内径よりも小さい第２の内径を有する第２の空間および前記第２の内径よりも小さい第３の内径を有する第３の空間を含み、
前記第１の流路から導かれる洗浄水は、前記第２の空間に供給されることを特徴とする請求項１〜１４のいずれかに記載のノズル装置。
【請求項１６】
前記第２の空間は、円筒状空間であり、
前記第１の流路から導かれる洗浄水は、前記円筒状空間の内周面に沿って供給されることを特徴とする請求項１５記載のノズル装置。
【請求項１７】
給水源から供給される洗浄水を人体に噴出する衛生洗浄装置であって、
前記給水源から供給された洗浄水を加圧する加圧手段と、
請求項１〜１６のいずれかに記載のノズル装置と、
前記加圧手段により加圧された洗浄水を前記ノズル装置の前記第１の流路および前記第２の流路のうち一方または両方に選択的に供給する経路選択手段とを備えたことを特徴とする衛生洗浄装置。
【請求項１８】
前記加圧手段は、
周期的に変動する圧力で洗浄水を加圧する往復動ポンプを含み、
前記往復動ポンプの動作を制御する制御手段をさらに備えたことを特徴とする請求項１７記載の衛生洗浄装置。
【請求項１９】
前記給水源から供給された洗浄水を加熱して前記加圧手段に供給する加熱手段をさらに備えたことを特徴とする請求項１７または１８記載の衛生洗浄装置。
【請求項２０】
前記加熱手段は、前記給水源から供給された洗浄水を流動させつつ加熱する瞬間式加熱装置であることを特徴とする請求項１９記載の衛生洗浄装置。
【請求項２１】
前記経路選択手段は、
前記第１の流路および前記第２の流路に供給する洗浄水の流量比を調整する流量調整手段を含むことを特徴とする請求項１７〜２０のいずれかに記載の衛生洗浄装置。
【発明の詳細な説明】
【技術分野】
【０００１】
本発明は、人体の局部を洗浄する衛生洗浄装置に関する。
【背景技術】
【０００２】
人体の局部を洗浄する衛生洗浄装置においては、ノズル装置の収納位置から洗浄位置までノズルが突出し、突出したノズルから洗浄水が噴出されて洗浄が行われる。
【０００３】
近年、洗浄の際に汚水や汚物を浴びたノズルを洗浄するために、ノズル本体に筒状のノズルカバーを取り外しが可能に設け、汚水や汚物が付着した場合に交換可能とした衛生洗浄装置が提案されている（例えば、特許文献１参照）。
【０００４】
この衛生洗浄装置では、ノズルカバーの吐水穴の位置に対しノズル本体の吐水穴の位置がずれることによる洗浄水の飛散を防止するために、ノズル本体の嵌合リブとノズルカバーの嵌合溝とを係合させている。
【特許文献１】特開２００１−３５５２７２号公報
【特許文献２】特許第３２９２１８５号公報
【発明の開示】
【発明が解決しようとする課題】
【０００５】
しかしながら、汚水や汚物を浴びたノズルを洗浄するために、ノズル全体にノズルカバーを被せると、ノズル装置が大型化してしまう。そのため、衛生洗浄装置をコンパクトにするためにノズル装置の小型化が望まれている。
【０００６】
一方、ノズルから噴出される洗浄水の噴出形態を調整することができるノズル装置も提案されている（例えば、特許文献２参照）。このノズル装置は、吐水孔に連通する旋回付与室、偏心管路および軸心指向管路を有する。偏心管路は、旋回付与室に偏心して連通し、旋回付与室に洗浄水を流入させる。この場合、旋回付与室に流入した洗浄水は、旋回流となって吐水孔から噴出される。また、軸心指向管路は、旋回付与室にその軸心を指向して連通し、旋回付与室に洗浄水を流入させる。この場合、旋回付与室に流入した洗浄水は、旋回力が付与されないで、吐水孔から噴出される。
【０００７】
偏心管路に供給する洗浄水の流量と軸心指向管路に供給する洗浄水の流量との比を調整することにより、旋回力の程度の可変および洗浄範囲の広狭設定を行うことができる。
【０００８】
しかしながら、上記の従来のノズル装置では、偏心管路と軸心指向管路とを設ける必要があるため、ノズルの直径が大きくなる。そのため、ノズル装置の小径化が困難である。
【０００９】
本発明の目的は、付着した汚れを洗浄しやすくかつ小型化が可能で信頼性が高いノズル装置およびそれを備えた衛生洗浄装置を提供することである。
【課題を解決するための手段】
【００１０】
従来の課題を解決するために、本発明のノズル装置は、洗浄水を噴出孔に導く第１の流路を形成する管路と、噴出孔を有し、管路を取り囲むように設けられかつ先端部が閉じられ、管路との間に洗浄水を噴出孔に導く第２の流路を形成する筒状のカバー部材と、管路の先端に設けられるとともに孔部を有し、第１の流路から供給される洗浄水と第２の流路から供給される洗浄水とを合流させて孔部に導く噴出部材と、孔部が噴出孔に対して位置決めされるようにカバー部材内で噴出部材を位置決めするための位置決め部とを備えたものである。
【００１１】
本発明に係るノズル装置においては、管路により第１の流路が形成され、管路とカバー部材との間の空間により第２の流路が形成される。このようなカバー部材および管路の２重管構造により第１および第２の流路が小径のカバー部材内に形成される。また、先端部が閉じられた筒状の形状を有しかつ一体的に形成されたカバー部材により管路が覆われている。
【００１２】
また、孔部を有しかつ第１の流路から供給される洗浄水と第２の流路から供給される洗浄水とを合流させて孔部に導く噴出部材により、第１の流路から供給される洗浄水と第２の流路から供給される洗浄水とが合流して孔部から噴出される。したがって、第１の流路の洗浄水量と第２の流路の洗浄水量の比率を調整することにより、洗浄水の噴出形態が変化される。また、第１の流路と第２の流路とは、カバー部材内部にともに収納され、流体圧力はカバー部材にて保持される。
【００１３】
さらに、噴出部材に設けられた孔部が、カバー部材に設けられた噴出孔に対して位置決め部により位置決めされる。
【発明の効果】
【００１４】
本発明に係るノズル装置によれば、カバー部材および管路の２重管構造により第１および第２の流路を小径のカバー部材内に形成することができる。したがって、ノズル装置の小型化を図ることができる。
【００１５】
また、第１の流路の洗浄水量と第２の流路の洗浄水量の比率を調整することにより、洗浄水の噴出形態を変化させることができる。
【００１６】
さらに、噴出部材に設けられた孔部が、カバー部材に設けられた噴出孔に対して位置決め部により位置決めされる。それにより、噴出孔に対する孔部の位置ずれが防止される。その結果、噴出孔に対する孔部の位置ずれによる洗浄水の飛散を防止することができる。
【発明を実施するための最良の形態】
【００１７】
請求項１に記載の発明は、噴出孔から洗浄水を噴出するノズル装置であって、洗浄水を噴出孔に導く第１の流路を形成する管路と、噴出孔を有し、管路を取り囲むように設けられかつ先端部が閉じられ、管路との間に洗浄水を噴出孔に導く第２の流路を形成する筒状のカバー部材と、管路の先端に設けられるとともに孔部を有し、第１の流路から供給される洗浄水と第２の流路から供給される洗浄水とを合流させて孔部に導く噴出部材と、孔部が噴出孔に対して位置決めされるようにカバー部材内で噴出部材を位置決めするための位置決め部とを備えたものである。
【００１８】
本発明に係るノズル装置においては、管路により第１の流路が形成され、管路とカバー部材との間の空間により第２の流路が形成される。このようなカバー部材および管路の２重管構造により第１および第２の流路を小径のカバー部材内に形成することができる。したがって、ノズル装置の小型化を図ることができる。
【００１９】
また、先端部が閉じられた筒状の形状を有しかつ一体的に形成されたカバー部材により管路が覆われている。したがって、汚れがノズル表面に付着しにくく、汚れが付着しても洗浄しやすい。
【００２０】
また、孔部を有しかつ第１の流路から供給される洗浄水と第２の流路から供給される洗浄水とを合流させて孔部に導く噴出部材により、第１の流路から供給される洗浄水と第２の流路から供給される洗浄水とが合流して孔部から噴出される。したがって、第１の流路の洗浄水量と第２の流路の洗浄水量の比率を調整することにより、洗浄水の噴出形態を変化させることができる。また、第１の流路と第２の流路とは、カバー部材内部にともに収納され、流体圧力はカバー部材にて保持される。さらに、第１の流路と第２の流路とは噴出部材にて連通しているため第１の流路と第２の流路の圧力差は小さく、また、流体圧力がカバー部材にて保持されるため気密度が要求されない。
【００２１】
さらに、噴出部材に設けられた孔部が、カバー部材に設けられた噴出孔に対して位置決め部により位置決めされる。それにより、噴出孔に対する孔部の位置ずれが防止される。したがって、噴出孔に対する孔部の位置ずれによる洗浄水の飛散を防止することができる。その結果、信頼性が向上する。
【００２２】
請求項２に記載の発明は、請求項１に記載のノズル装置の構成において、位置決め部は、カバー部材に形成された第１の平坦部と、噴出部材に形成された第２の平坦部とを含み、噴出部材の第２の平坦部がカバー部材の第１の平坦部に対向するように管路がカバー部材に挿入されたものである。
【００２３】
この場合、カバー部材に形成された第１の平坦部の内面と噴出部材に形成された第２の平坦部とが対向することにより、カバー部材内で噴出部材が周方向に位置決めされる。それにより、噴出孔に対する孔部の位置ずれが防止される。その結果、噴出孔に対する孔部の位置ずれによる洗浄水の飛散を防止することができる。
【００２４】
また、カバー部材内に管路を挿入するだけで孔部が噴出孔に対して自動的に位置決めされるので位置決め作業が容易になる。
【００２５】
請求項３に記載の発明は、請求項２に記載のノズル装置の構成において、噴出孔は、カバー部材の第１の平坦部に形成され、孔部は、噴出部材の第２の平坦部に形成されたものである。
【００２６】
この場合、カバー部材の第１の平坦部に噴出孔が形成され、噴出部材の第２の平坦部に孔部が形成されるので加工が容易になる。その結果、噴出孔と孔部の位置合わせ精度が向上する。
【００２７】
請求項４に記載の発明は、請求項３に記載のノズル装置の構成において、噴出孔の周囲におけるカバー部材の第１の平坦部と孔部の周囲における噴出部材の第２の平坦部との間を水密にシールする環状のシール部材をさらに備えたものである。
【００２８】
この場合、第１の流路の洗浄水が噴出部材とカバー部材との間の隙間を通って噴出孔から流出することはない。また、ノズル装置の先端に汚れが付着しても、汚れが噴出孔から噴出部材とカバー部材との間の隙間を通って第１の流路に直接入り込むこともない。さらに、噴出孔から入り込んだ汚れが孔部に入り込んだ場合でも、孔部から噴出される洗浄水により汚れが即座に排出される。したがって、ノズル装置の内部を常に清潔に保つことができる。
【００２９】
請求項５に記載の発明は、請求項３または４記載のノズル装置の構成において、カバー部材の第１の平坦部の孔部を含む領域に凹部が形成されたものである。
【００３０】
この場合、カバー部材の第１の平坦部において、噴出孔を含む領域に凹部を形成することにより、第１の平坦部を補強することができる。それにより、シール部材の弾力性によって第１の平坦部が変形することを防止することができる。その結果、第１の流路の洗浄水が噴出部材とカバー部材との間の隙間を通って噴出孔から流出することが確実に防止される。
【００３１】
請求項６に記載の発明は、請求項５に記載のノズル装置の構成において、凹部は、０．１ｍｍ〜０．３ｍｍの深さを有するものである。
【００３２】
この場合、加工が容易になるとともに、十分な強度を保持することができる。
【００３３】
請求項７に記載の発明は、請求項１〜６のいずれかに記載のノズル装置の構成において、位置決め部は、カバー部材の後端部に設けられた係合部と、管路の後端部に設けられ、係合部が係合する被係合部とを含むものである。
【００３４】
この場合、管路の後端部に設けられた被係合部と、カバー部材の後端部に設けられた係合部とが係合することにより、カバー部材内で噴出部材が周方向に確実に位置決めされる。それにより、噴出孔に対する孔部の位置ずれが防止される。その結果、噴出孔に対する孔部の位置ずれによる洗浄水の飛散を防止することができる。
【００３５】
請求項８に記載の発明は、請求項１〜７のいずれかに記載のノズル装置の構成において、位置決め部は、噴出部材の先端部に設けられ、カバー部材の先端部の内面に当接する先端当接部を含むものである。
【００３６】
この場合、先端当接部がカバー部材の先端の内面に当接することにより、カバー部材内で噴出部材が軸方向に位置決めされる。それにより、噴出孔に対する孔部の位置ずれが防止される。その結果、噴出孔に対する孔部の位置ずれによる洗浄水の飛散を防止することができる。
【００３７】
請求項９に記載の発明は、請求項１〜８のいずれかに記載のノズル装置の構成において、位置決め部は、噴出部材に設けられ、カバー部材の内周面に当接する周面当接部を含むものである。
【００３８】
この場合、噴出部材に設けられた周面当接部がカバー部材の内面に当接することにより、カバー部材内で噴出部材が周方向に位置決めされる。それにより、噴出孔に対する孔部の位置ずれが防止される。その結果、噴出孔に対する孔部の位置ずれによる洗浄水の飛散を防止することができる。
【００３９】
請求項１０に記載の発明は、請求項１〜９のいずれかに記載のノズル装置の構成において、カバー部材の先端部は、略半球形状を有するものである。
【００４０】
この場合、ノズル先端に汚れが付着しにくくなる。また、付着した汚れを洗い流しやすくなる。したがって、ノズル装置が清潔に保たれる。
【００４１】
請求項１１に記載の発明は、請求項１〜１０のいずれかに記載のノズル装置の構成において、カバー部材は、一体的に形成された周壁部および先端部を有するものである。
【００４２】
この場合、カバー部材に継ぎ目がなくなり、汚れが付着しにくくなる。また、付着した汚れを洗い流しやすくなる。したがって、ノズル装置が清潔に保たれる。
【００４３】
請求項１２に記載の発明は、請求項１〜１１のいずれかに記載のノズル装置の構成において、カバー部材は、ステンレスよりなるものである。
【００４４】
この場合、ステンレスの持つ抗菌性により、カバー部材に付着した菌の繁殖を抑制することができる。また、剛性の高いステンレスパイプが流路を構成し、圧力を吸収する率が低いため、洗浄水の水勢が低下することを防止できる。
【００４５】
請求項１３に記載の発明は、請求項１〜１２のいずれかに記載のノズル装置の構成において、噴出孔は、孔部よりも大きい内径を有するものである。
【００４６】
この場合、孔部から噴出される洗浄水が広がった場合でも噴出孔に当たることがなく、洗浄水の噴出が妨げられない。
【００４７】
請求項１４に記載の発明は、請求項１〜１３のいずれかに記載のノズル装置の構成において、噴出部材は、一端側に開口部を有しかつ他端側に孔部を有する噴出空間を形成し、第１の流路の洗浄水は、噴出空間の周面側から噴出空間に導かれ、第２の流路の洗浄水は、開口部側から噴出空間に導かれ、噴出空間は、開口部から孔部まで段階的または連続的に減少する断面積を有するものである。
【００４８】
この場合、第１の流路により噴出空間の開口部側から洗浄水が供給される。噴出空間の断面積は開口部から孔部まで段階的または連続的に減少するため、開口部側から一様に流入した洗浄水は段階的または連続的に流速を増加させて孔部から噴出される。この場合、洗浄水は噴出空間に大きな断面積を有する開口部から孔部へ向かって流入し、かつ洗浄水は噴出空間の内周面のみから抵抗を受けるため、圧力損失が小さい。したがって、孔部から流速の高い直線流が効率的に噴出される。
【００４９】
また、第２の流路により噴出空間の周面側から洗浄水が供給される。それにより、洗浄水は、噴出空間の内周面に沿って流れることにより、旋回力が付与され、孔部から広がりながら旋回流として噴出される。この場合、洗浄水は開口部側から抵抗を受けず、内周面のみから抵抗を受けるため、圧力損失が小さい。したがって、孔部から旋回流が効率的に噴出される。さらに、噴出空間が圧力損失の小さい構造を有するので、圧力損失を低減するために流路の断面積を大きくする必要がない。したがって、ノズル装置の小型化が可能である。
【００５０】
請求項１５に記載の発明は、請求項１〜１４のいずれかに記載のノズル装置の構成において、噴出空間は、開口部側から孔部側へ第１の内径を有する第１の空間、第１の内径よりも小さい第２の内径を有する第２の空間および第２の内径よりも小さい第３の内径を有する第３の空間を含み、第１の流路から導かれる洗浄水は、第２の空間に供給されるものである。
【００５１】
この場合、洗浄水は第２の空間の開口部側から抵抗を受けず、内周面のみから抵抗を受けるため、圧力損失が小さい。したがって、孔部から旋回流が効率的に噴出される。
【００５２】
請求項１６に記載の発明は、請求項１５に記載のノズル装置の構成において、第２の空間は、円筒状空間であり、第１の流路から導かれる洗浄水は、円筒状空間の内周面に沿って供給されるものである。
【００５３】
この場合、第２の流路から第２の空間に供給された洗浄水は旋回流を生成する。したがって、孔部から噴出される洗浄水は広がり角度を有し、使用者は柔らかな洗浄感を得ることができる。
【００５４】
請求項１７に記載の発明は、給水源から供給される洗浄水を人体に噴出する衛生洗浄装置であって、給水源から供給された洗浄水を加圧する加圧手段と、請求項１〜１６のいずれかに記載のノズル装置と、加圧手段により加圧された洗浄水をノズル装置の第１の流路および第２の流路のうち一方または両方に選択的に供給する経路選択手段とを備えたものである。
【００５５】
本発明に係る衛生洗浄装置においては、加圧手段によって加圧された洗浄水が経路選択手段に供給され、経路選択手段に供給された洗浄水は経路選択手段により選択的に第１の流路および第２の流路のうち一方または両方に供給される。
【００５６】
本発明に係るノズル装置においては、管路により第１の流路が形成され、管路とカバー部材との間の空間により第２の流路が形成される。このようなカバー部材および管路の２重管構造により第１および第２の流路を小径のカバー部材内に形成することができる。したがって、ノズル装置の小型化を図ることができる。その結果、衛生洗浄装置を小型化することができる。
【００５７】
また、先端部が閉じられた筒状の形状を有しかつ一体的に形成されたカバー部材により管路が覆われている。したがって、汚れがノズル表面に付着しにくく、汚れが付着しても洗浄しやすい。
【００５８】
また、孔部を有しかつ第１の流路から供給される洗浄水と第２の流路から供給される洗浄水とを合流させて孔部に導く噴出部材により、第１の流路から供給される洗浄水と第２の流路から供給される洗浄水とが合流して孔部から噴出される。したがって、第１の流路の洗浄水量と第２の流路の洗浄水量の比率を調整することにより、洗浄水の噴出形態を変化させることができる。また、第１の流路と第２の流路とは、カバー部材内部にともに収納され、流体圧力はカバー部材にて保持される。さらに、第１の流路と第２の流路とは噴出部材にて連通しているため第１の流路と第２の流路の圧力差は小さく、また、流体圧力がカバー部材にて保持されるため気密度が要求されない。
【００５９】
さらに、噴出部材に設けられた孔部が、カバー部材に設けられた噴出孔に対して位置決め部により位置決めされる。それにより、噴出孔に対する孔部の位置ずれが防止される。したがって、噴出孔に対する孔部の位置ずれによる洗浄水の飛散を防止することができる。その結果、信頼性が向上する。
【００６０】
請求項１８に記載の発明は、請求項１７に記載の衛生洗浄装置の構成において、加圧手段は、周期的に変動する圧力で洗浄水を加圧する往復動ポンプを含み、往復動ポンプの動作を制御する制御手段をさらに備えたものである。
【００６１】
この場合、加圧手段により洗浄水を周期的に変動する圧力で噴出させることができる。したがって、少ない流量の洗浄水でも人体に高い洗浄感を与えることができる。また、制御手段により往復動ポンプの動作を制御することができるので、使用者の好みに応じて洗浄水の圧力変動を制御することができる。さらに、脈動感のある噴流を構成することができる。
【００６２】
請求項１９に記載の発明は、請求項１７または１８記載の衛生洗浄装置の構成において、給水源から供給された洗浄水を加熱して加圧手段に供給する加熱手段をさらに備えたものである。
【００６３】
この場合、給水源から供給された洗浄水を加熱手段により加熱して加圧手段に供給することができるため、噴出孔より適度に加熱された洗浄水を噴出させることができる。
【００６４】
請求項２０に記載の発明は、請求項１９に記載の衛生洗浄装置の構成において、加熱手段は、給水源から供給された洗浄水を流動させつつ加熱する瞬間式加熱装置である。
【００６５】
この場合、瞬間式加熱装置により洗浄水が流動されつつ加熱される。したがって、衛生洗浄装置の使用時にのみ洗浄水の加熱を行うため、消費電力を最小限に抑えることができる。
【００６６】
請求項２１に記載の発明は、請求項１７〜２０のいずれかに記載の衛生洗浄装置の構成において、経路選択手段は、第１の流路および第２の流路に供給する洗浄水の流量比を調整する流量調整手段を含むものである。
【００６７】
この場合、流量調整手段により第１の経路および第２の経路を流れる洗浄水の流量比を調整することができる。したがって、噴出孔から噴出される洗浄水の広がり角度を調整することができる。
【実施例１】
【００６８】
以下、本発明の実施例について、図面を参照しながら説明する。
【００６９】
図１は、本実施例に係る衛生洗浄装置を便器に装着した状態を示す斜視図である。
【００７０】
図１に示すように、便器６００上に衛生洗浄装置１００が装着される。タンク７００は、水道配管に接続されており、便器６００内に洗浄水を供給する。
【００７１】
衛生洗浄装置１００は、本体部２００、遠隔操作装置３００、便座部４００および蓋部５００により構成される。
【００７２】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００７３】
図２は、図１の遠隔操作装置３００の一例を示す模式図である。
【００７４】
図２に示すように、遠隔操作装置３００は、複数のＬＥＤ（発光ダイオード）３０１、複数の調整スイッチ３０２、おしりスイッチ３０３、刺激スイッチ３０４、停止スイッチ３０５、ビデスイッチ３０６、乾燥スイッチ３０７および脱臭スイッチ３０８を備える。
【００７５】
使用者により調整スイッチ３０２、おしりスイッチ３０３、刺激スイッチ３０４、停止スイッチ３０５、ビデスイッチ３０６、乾燥スイッチ３０７および脱臭スイッチ３０８が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００７６】
例えば、使用者が、おしりスイッチ３０３またはビデスイッチ３０６を押下操作することにより図１の本体部２００のノズル部３０が移動して洗浄水が噴出する。刺激スイッチ３０４を押下操作することにより図１の本体部２００のノズル部３０から人体の局部に刺激を与える洗浄水が噴出される。停止スイッチ３０５を押下操作することによりノズル部３０からの洗浄水の噴出が停止する。
【００７７】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００７８】
調整スイッチ３０２は、水勢調整スイッチ３０２ａ，３０２ｂ、温度調整スイッチ３０２ｃ，３０２ｄおよびノズル位置調整スイッチ３０２ｅ，３０２ｆを含む。
【００７９】
使用者がノズル位置調整スイッチ３０２ｅ，３０２ｆを押下操作することにより図１の衛生洗浄装置１００の本体部２００のノズル部３０の位置が変化し、温度調整スイッチ３０２ｃ，３０２ｄを押下操作することによりノズル部３０より噴出される洗浄水の温度が変化する。また、水勢調整スイッチ３０２ａ，３０２ｂを押下操作することにより、ノズル部３０より噴出される洗浄水の水勢（圧力）および噴出形態が変化する。調整スイッチ３０２の押下に伴って複数のＬＥＤ（発光ダイオード）３０１が点灯する。
【００８０】
以下、本実施例に係る衛生洗浄装置１００の本体部２００について説明を行う。図３は、本実施例に係る衛生洗浄装置１００の本体部２００の構成を示す模式図である。
【００８１】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３、切替弁１４およびノズル部３０を含む。また、ノズル部３０は、おしりノズル１、ビデノズル２およびノズル洗浄用ノズル３を含む。
【００８２】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００８３】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００８４】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００８５】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００８６】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００８７】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基いて、ノズル部３０より噴出される洗浄水の流量を調整する。それにより、ノズル部３０より噴出される洗浄水の流量が変化する。
【００８８】
制御部４は、図１の遠隔操作装置３００から無線送信される信号、流量センサ１０から与えられる測定流量値および温度センサ１２ａ，１２ｂから与えられる温度測定値に基き止水電磁弁９、熱交換器１１、ポンプ１３および切替弁１４に対して制御信号を与える。
【００８９】
図４は、熱交換器１１の構造の一例を示す一部切り欠き断面図である。
【００９０】
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００９１】
図３の制御部４は、温度センサ１２ｂより与えられる温度測定値に基いて、熱交換器１１のセラミックヒータ５０５の温度をフィードバック制御する。
【００９２】
本実施例においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００９３】
図５は、ポンプ１３の構造の一例を示す断面図である。図５のポンプは複動型レシプロポンプである。
【００９４】
図５において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００９５】
本体部１３８の一側部には洗浄水入口ＰＩが設けられ、他側部には洗浄水出口ＰＯが設けられている。洗浄水入口ＰＩには図３の配管２０３を介して熱交換器１１が接続され、洗浄水出口ＰＯには配管２０３を介して切替弁１４が接続される。
【００９６】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００９７】
ポンプ室１３９ａは、小室Ｓ５、小室Ｓ７および内部流路Ｐ３を介して洗浄水出口ＰＯに連通している。円柱状空間１３９ｂは、小室Ｓ６、小室Ｓ８および内部流路Ｐ４を介して洗浄水出口ＰＯに連通している。
【００９８】
小室Ｓ３、小室Ｓ４、小室Ｓ７および小室Ｓ８には、それぞれアンブレラパッキン１３７が設けられている。
【００９９】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【０１００】
図３の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【０１０１】
図６は、アンブレラパッキン１３７の動作を説明するための模式図である。例えば、図５の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図６（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図６（ａ）に示す状態のまま変形しない。そのため、洗浄水がポンプ室１３９ａ内へ流入したり、逆に洗浄水出口ＰＯより吐出されることもない。
【０１０２】
一方、図５の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図６（ａ）に示す状態のまま変形しない。その結果、小室Ｓ１内の洗浄水が、ポンプ室１３９ａに流入しない。この場合、小室Ｓ７に設けられたアンブレラパッキン１３７は、図６（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【０１０３】
なお、小室Ｓ４内に設けられたアンブレラパッキン１３７は、圧送ピストン１３６が上方向に移動した場合に、図６（ｂ）に示すように変形し、圧送ピストン１３６が下方向に移動した場合に、図６（ａ）に示す状態のまま変形しない。一方、小室Ｓ８に設けられたアンブレラパッキン１３７は、圧送ピストン１３６が上方向に移動した場合に、図６（ａ）に示す状態のまま変形せず、圧送ピストン１３６が下方向に移動した場合に、図６（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【０１０４】
図７は、図５のポンプ１３の圧力変化を示す図である。図７の縦軸は圧力を示し、横軸は時間を示す。
【０１０５】
図７に示すように、ポンプ１３の洗浄水入口ＰＩに圧力Ｐｉの洗浄水が供給される。この場合、図６の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【０１０６】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【０１０７】
図８（ａ）は切替弁１４の縦断面図であり、図８（ｂ）は図８（ａ）の切替弁１４のＡ−Ａ線断面図であり、図８（ｃ）は図８（ａ）の切替弁１４のＢ−Ｂ線断面図であり、図８（ｄ）は図８（ａ）の切替弁１４のＣ−Ｃ線断面図である。
【０１０８】
図８に示す切替弁１４は、モータ１４１、内筒１４２および外筒１４３により構成される。
【０１０９】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【０１１０】
図８（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図８（ｂ），（ｃ）に示すように、曲線および直線で構成される面取り部が形成され、孔１４２ｇの周辺には、図８（ｄ）に示すように、直線で構成される面取り部が形成されている。
【０１１１】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【０１１２】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【０１１３】
図９は、図８の切替弁１４の動作を示す断面図である。
【０１１４】
図９（ａ）〜（ｆ）は切替弁１４のモータ１４１がそれぞれ０度、９０度、１３５度、１８０度、２２５度および２７０度回転した状態を示す。
【０１１５】
まず、図９（ａ）に示すように、モータ１４１を回転させない（０度）場合には、内筒１４２の孔１４２ｅの周囲の面取り部が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【０１１６】
次に、図９（ｂ）に示すように、モータ１４１が内筒１４２を９０度回転させた場合には、内筒１４２の孔１４２ｇの周囲の面取り部が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【０１１７】
次いで、図９（ｃ）に示すように、モータ１４１が内筒１４２を１３５度回転させた場合には、内筒１４２の孔１４２ｇの周囲の面取り部の一部が外筒１４３の洗浄水出口１４３ｅに対向するとともに、内筒１４２の孔１４２ｅの周囲の面取り部の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【０１１８】
次に、図９（ｄ）に示すように、モータ１４１が内筒１４２を１８０度回転させた場合には、内筒１４２の孔１４２ｅの周囲の面取り部が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【０１１９】
次に、図９（ｅ）に示すように、モータ１４１が内筒１４２を２２５度回転させた場合には、内筒１４２の孔１４２ｅの周囲の面取り部の一部が外筒１４３の洗浄水出口１４３ｃに対向するとともに、内筒１４２の孔１４２ｆの周囲の面取り部の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【０１２０】
また、図９（ｆ）に示すように、モータ１４１が内筒１４２を２７０度回転させた場合には、内筒１４２の孔１４２ｆの周囲の面取り部が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【０１２１】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【０１２２】
図１０は、図９の切替弁１４の洗浄水出口１４３ｃ，１４３ｄから流出する洗浄水の流量を示す図である。図１０の横軸はモータ１４１の回転角度を示し、縦軸は洗浄水出口１４３ｃ，１４３ｄを流れる洗浄水の流量を示す。また、一点鎖線Ｑ１が洗浄水出口１４３ｃから流出する洗浄水の流量の変化を示し、実線Ｑ２が洗浄水出口１４３ｄから流出する洗浄水の流量の変化を示す。
【０１２３】
例えば、図１０に示すように、モータ１４１が１８０度回転した場合、洗浄水出口１４３ｃから流出する洗浄水の流量は最大値を示し、洗浄水出口１４３ｄから洗浄水は流出しない。モータ１４１の回転角度が大きくなるとともに洗浄水出口１４３ｃから流出する洗浄水の流量が減少し、洗浄水出口１４３ｄから流出する洗浄水の流量が増加する。そして、モータ１４１が２７０度回転した場合、洗浄水出口１４３ｃから洗浄水は流出せず、洗浄水出口１４３ｄから流出する洗浄水の流量は最大値を示す。
【０１２４】
以上のように、制御部４が切替弁１４のモータ１４１の回転角度を制御することにより洗浄水出口１４３ｃ，１４３ｄから流出する洗浄水の流量比を制御することができる。
【０１２５】
次に、図３のノズル部３０のおしりノズル１について説明する。
【０１２６】
図１１（ａ）はおしりノズルのピストン部の斜視図であり、図１１（ｂ）はピストン部の洗浄水供給部の分解斜視図である。また、図１２はおしりノズルのピストン部の分解斜視図であり、図１３（ａ）はピストン部２０の側面図であり、図１３（ｂ）はピストン部２０の平面図である。
【０１２７】
図１１（ａ）に示すように、ピストン部２０は、ノズルカバー４０１および洗浄水供給部４２０を含む。図１１（ａ）では、ノズルカバー４０１が一点鎖線で示されている。洗浄水供給部４２０は、二流路管４０２、一流路管４０３および流路合流部４０４を含む。
【０１２８】
図１１（ｂ）に示すように、一流路管４０３の一端には切欠き４０３ａが設けられ、一流路管４０３の他端には切欠き４０３ｂが設けられている。
【０１２９】
流路合流部４０４には切欠き４０３ａに係合する係合突起４０４ｇが設けられ、二流路管４０２には切欠き４０３ｂに係合する係合突起４０２ａが設けられている。また、流路合流部４０４には、孔部２５が設けられている。
【０１３０】
ここで、流路合流部４０４において、孔部２５が設けられている面を上面とし、その反対側の面を下面とする。流路合流部４０４の上面には平坦部４０４ｆが形成されている。
【０１３１】
係合突起４０２ａが切欠き４０３ｂに係合し、流路合流部４０４の係合突起４０４ｇが切欠き４０３ａに係合することにより、二流路管４０２、一流路管４０３および流路合流部４０４が一体化され、洗浄水供給部４２０が形成される。
【０１３２】
図１２に示すように、ノズルカバー４０１の後端部には切欠き４０１ｂが設けられ、二流路管４０２の外周面には切欠き４０１ｂに係合する係合突起４０２ｂが設けられている。
【０１３３】
二流路管４０２は、洗浄水が流れる流路を２つ有する。一方の流路には一流路管４０３の後端が接続されており、一流路管４０３の先端には流路合流部４０４が接続されている。
【０１３４】
二流路管４０２の一方の流路に供給された洗浄水は、一流路管４０３を通って流路合流部４０４に供給される。二流路管４０２の他方の流路に供給された洗浄水は、一流路管４０３とノズルカバー４０１との間の空間を通り、流路合流部４０４に供給される。流路合流部４０４に供給された洗浄水は、噴出孔４０１ａから人体に向けて噴出される。このときに噴出される洗浄水は分散旋回流となる。詳細については後述する。
【０１３５】
図１２および図１３（ａ），（ｂ）に示すように、ノズルカバー４０１は、先端が略半球状に閉じられた円筒構造を有し、継ぎ目のない一体構造を有する。
【０１３６】
ノズルカバー４０１の先端部の近傍には部分的に平坦部４０１ｄが形成されており、その平坦部４０１ｄの中央部に噴出孔４０１ａが形成されている。ノズルカバー４０１は、ステンレスを絞り加工することにより形成される。また、噴出孔４０１ａを含む領域には、円形の凹部４０１ｃが形成されている。詳細については後述する。
【０１３７】
図１２に矢印で示すように、洗浄水供給部４２０がノズルカバー４０１内に挿入される。それにより、流路合流部４０４の平坦部４０４ｆがノズルカバー４０１の平坦部４０１ｄに対向するとともに、切欠き４０１ｂに係合突起４０２ｂが係合することにより、洗浄水供給部４２０がノズルカバー４０１内に位置決めされる。
【０１３８】
ノズルカバー４０１に継ぎ目がないことから、ノズルカバー４０１に汚れが付着しても洗い流しやすく衛生的である。また、ステンレスは抗菌作用を有するため、ノズルカバー４０１の表面において菌が繁殖することもない。
【０１３９】
また、ノズルカバー４０１がステンレスで構成されていることから、ノズルカバー４０１の強度を確保しつつ薄肉化することができ、おしりノズル１の小型化が図れる。この場合、ノズルカバー４０１内に加圧された洗浄水が供給されても変形することはない。なお、ノズルカバー４０１の管径は例えば１０ｍｍであり、肉厚は例えば０．３ｍｍ程度である。
【０１４０】
さらに、ノズルカバー４０１が絞り加工により形成されることから、表面に粗さがなく、汚れが付着しにくい。また、ノズルカバー４０１の表面が光沢を有するようになり、使用者は清潔感を覚える。
【０１４１】
図１４は、おしりノズル１の断面図である。
【０１４２】
図１４に示すように、おしりノズル１は、ピストン部２０、円筒状のシリンダ部２１、シールパッキン２２ａ，２２ｂおよびスプリング２３により構成される。
【０１４３】
流路合流部４０４の上面には、洗浄水を噴出するための孔部２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。
【０１４４】
二流路管４０２の内部には、後端面から一流路管４０３に連通する流路２７ａが形成されている。また、ストッパ部２６ａとストッパ部２６ｂとの間におけるピストン部２０の周面から二流路管４０２の先端面に連通する流路２７ｃが形成されている。
【０１４５】
一流路管４０３の内部には、二流路管４０２の流路２７ａから流路合流部４０４に連通する流路２７ｂが形成されている。ノズルカバー４０１と一流路管４０３との間の空間は、流路２７ｄとなる。ノズルカバー４０１がステンレスで構成されているため剛性が高く、流体の脈動感を高めることができる。流路合流部４０４の詳細については後述する。
【０１４６】
一方、シリンダ部２１は、先端側の径小部分と中間の径を有する中間部分と後端側の径大部分とからなる。それにより、径小部分と中間部分との間に、ピストン部２０のストッパ部２６ａがシールパッキン２２ａを介して当接可能なストッパ面２１ｃが形成され、中間部分と径大部分との間に、ピストン部２０のストッパ部２６ｂがシールパッキン２２ｂを介して当接可能なストッパ面２１ｂが形成されている。
【０１４７】
シリンダ部２１の後端面には、洗浄水入口２４ａが設けられ、シリンダ部２１の中間部分の周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。
【０１４８】
洗浄水入口２４ａは、図８の切替弁１４の洗浄水出口１４３ｃに接続され、洗浄水入口２４ｂは、図８の切替弁１４の洗浄水出口１４３ｄに接続されている。ピストン部２０がシリンダ部２１より最も突出した場合に、洗浄水入口２４ｂは、二流路管４０３の流路２７ｃと連通する。この洗浄水入口２４ｂが流路２７ｃと接続される際の動作の詳細については後述する。
【０１４９】
ピストン部２０は、ストッパ部２６ｂが温度変動緩衝部２８内に位置し、先端部が開口部２１ａから突出するように、シリンダ部２１内に移動可能に挿入されている。
【０１５０】
さらに、スプリング２３は、ピストン部２０のストッパ部２６ａとシリンダ部２１の開口部２１ａの周縁との間に配設されており、ピストン部２０をシリンダ部２１の後端側に付勢する。
【０１５１】
ピストン部２０のストッパ部２６ａ，２６ｂの外周面とシリンダ部２１の内面との間に微小隙間が形成され、ピストン部２０の外周面とシリンダ部２１の開口部２１ａの内面との間に微小隙間が形成されている。
【０１５２】
次いで、図１４のおしりノズル１の動作について説明する。図１５は、図１４のおしりノズル１の動作を説明するための断面図である。
【０１５３】
まず、図１５（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１５４】
次いで、図１５（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１５５】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内面との間の微小隙間を通して、ピストン部２０の外周面とシリンダ部２１の開口部２１ａの内面との間の微小隙間から流れ出るとともに、ピストン部２０の流路２７ａ，２７ｂ，２７ｃ，２７ｄを通して流路合流部４０４に供給され、孔部２５からわずかに噴出される。
【０１５６】
ピストン部２０がさらに前進すると、図１５（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内面との間の微小隙間からピストン部２０の外周面とシリンダ部２１の開口部２１ａの内面との間の微小隙間に至る流路が遮断される。
【０１５７】
さらに、洗浄水入口２４ｂより供給された洗浄水が、ピストン部２０の流路２７ｃ，２７ｄを通して流路合流部４０４に供給される。それにより、流路２７ａ，ｂを通して流路合流部４０４に供給された洗浄水は、流路２７ｃ，２７ｄを通して供給された洗浄水と混合され、孔部２５から噴出される。
【０１５８】
図１６は、流路合流部４０４を説明するための図である。図１６（ａ）はピストン部２０の先端部の平面図であり、図１６（ｂ）は図１６（ａ）のＤ−Ｄ線断面図であり、図１６（ｃ）は図１６（ａ）のＥ−Ｅ線断面図である。図１７は図１６（ａ）のＦ−Ｆ線断面図である。
【０１５９】
図１６（ａ）に示すように、噴出孔４０１ａは、孔部２５よりも径が大きくなるように形成されている。それにより、孔部２５から噴出される洗浄水が噴出孔４０１ａに当たることがなく、洗浄水の噴出が妨げられない。
【０１６０】
図１６（ｂ）に示すように、流路合流部４０４の上部には孔部２５を囲むように円環状の溝４０４ａが形成されており、溝４０４ａにはＯリング４０４ｂが取り付けられている。Ｏリング４０４ｂとノズルカバー４０１の内面とは密着しており、流路２７ｄからの洗浄水がノズルカバー４０１の噴出孔４０１ａから流出することはない。また、ノズルカバー４０１の先端部に汚れが付着しても、汚れが噴出孔４０１ａから流路２７ｄに直接入り込むこともない。
【０１６１】
なお、ノズルカバー４０１の噴出孔４０１ａから汚れが孔部２５に入り込んだ場合でも、孔部２５から噴出される洗浄水により汚れが即座に排出される。それにより、ノズルカバー４０１の内部が常に清潔に保たれる。
【０１６２】
上記のように、ノズルカバー４０１の平坦部４０１ｄにおいて、噴出孔４０１ａを含む領域に円形の凹部４０１ｃが設けられている。この凹部４０１ｃは、ノズルカバー４０１内の所定の位置に洗浄水供給部４２０を挿入した後、噴出孔４０１ａを中心として噴出孔４０１ａよりも径大な円形領域を円柱状の治具等を用いて押圧することにより形成される。凹部４０１ｃの深さは、例えば０．１〜０．３ｍｍであるが、これに限定されるものではない。
【０１６３】
流路合流部４０４の内部には、孔部２５、縮流部２５ａ、円筒状渦室２５ｂおよび縮流部２５ｃが流路合流部４０４の上端から下端にわたって順に形成されている。
【０１６４】
流路２７ｄの洗浄水は、縮流部２５ｃを通って円筒状渦室２５ｂに供給される。縮流部２５ｃは、円筒状渦室２５ｂに向かって内径が連続的に小さくなっているため、縮流部２５ｃを流れる洗浄水の流速が連続的に上昇する。
【０１６５】
円筒状渦室２５ｂに供給された洗浄水は、縮流部２５ａに流入する。縮流部２５ａは、孔部２５に向かって内径が連続的に小さくなっているため、縮流部２５ａを流れる洗浄水の流速が連続的に上昇する。孔部２５に供給された洗浄水は、人体に向けて噴出される。
【０１６６】
図１６（ｃ）に示すように、円筒状渦室２５ｂと流路２７ａとは連通している。流路２７ａから供給される洗浄水は、円筒状渦室２５ｂにおいて流路２７ｄから円筒状渦室２５ｂに供給された洗浄水に旋回力を与えて旋回流を生成する。流路合流部４０４の先端部には、ノズルカバー４０１の先端部の内面に沿った曲面形状を有する位置固定片４０４ｃが形成されている。位置固定片４０４ｃの先端がノズルカバー４０１の先端の内面に支持されることにより、ノズルカバー４０１内で流路合流部４０４が軸方向に位置決めされる。
【０１６７】
図１７に示すように、流路合流部４０４の下面において、縮流部２５ｃの両側には、ノズルカバー４０１の内面に沿った曲面形状を有する突起４０４ｄ，４０４ｅが設けられている。
【０１６８】
突起４０４ｄ，４０４ｅは、ノズルカバー４０１の内面に密着するように当接する。
【０１６９】
また、ノズルカバー４０１の平坦部４０１ｄの内面と流路合流部４０４の平坦部４０４ｆとがＯリング４０４ｂを挟んで対向している。この状態で、流路合流部４０４の孔部２５がノズルカバー４０１の噴出孔４０１ａのほぼ中心に位置する。
【０１７０】
本実施例においては、ノズルカバー４０１内において、ノズルカバー４０１の平坦部４０１ｄの内面と流路合流部４０４の平坦部４０４ｆとが対向することにより、ノズルカバー４０１内で流路合流部４０４が周方向に位置決めされる。
【０１７１】
この場合、ノズルカバー４０１内に洗浄水供給部４２０を挿入するだけで孔部２５が噴出孔４０１ａに対して自動的に位置決めされるので位置決め作業が容易になる。
【０１７２】
さらに、二流路管４０２の後端に設けられた係合突起４０２ｂが、ノズルカバー４０１の後端に設けられた切欠き４０１ｂに係合することにより、ノズルカバー４０１内で流路合流部４０４が周方向に確実に位置決めされる。さらに、一流路管４０３の切欠き４０３ａに流路合流部４０４の係合突起４０４ｇが係合し、一流路管４０３の切欠き４０３ｂに二流路管４０２の係合突起４０２ａが係合することにより、二流路管４０２、一流路管４０３および流路合流部４０４が周方向に位置ずれすることを防止できる。また、位置固定片４０４ｃの先端がノズルカバー４０１の先端の内面に当接することにより、ノズルカバー４０１内で流路合流部４０４が軸方向に位置決めされる。さらに、流路合流部４０４に設けられた突起４０４ｄ，４０４ｅがノズルカバー４０１の内面に当接することにより、ノズルカバー４０１内で流路合流部４０４が位置ずれすることを防止できる。それにより、噴出孔４０１ａに対する孔部２５の位置ずれが防止される。その結果、噴出孔４０１ａに対する孔部２５の位置ずれによる洗浄水の飛散を防止することができる。
【０１７３】
また、ノズルカバー４０１の平坦部４０１ｄにおいて、噴出孔４０１ａを含む領域に凹部４０１ｃを形成することにより、平坦部４０１ｄを補強することができる。それにより、Ｏリング４０４ｂの弾力性によって平坦部４０１ｄが変形することを防止することができる。
【０１７４】
本実施例においては、流路２７ａが第１の流路に相当し、流路２７ｄが第２の流路に相当し、位置固定片４０４ｃが先端当接部に相当し、流路合流部４０４が噴出部材に相当し、縮流部２５ｃが開口部および第１の空間に相当し、円筒状渦室２５ｂが第２の空間に相当し、縮流部２５ａが第３の空間に相当する。
【０１７５】
また、ノズルカバー４０１がカバー部材に相当し、洗浄水供給部４２０が管路に相当し、Ｏリング４０４ｂがシール部材に相当し、ポンプ１３が加圧手段に相当し、切替弁１４が経路選択手段および流量調整手段に相当し、セラミックヒータ５０５が加熱手段に相当し、制御部４が制御手段に相当する。
【０１７６】
また、突起４０４ｄ，４０４ｅが周面当接部に相当し、切欠き４０１ｂが係合部に相当し、係合突起４０２ｂが被係合部に相当し、平坦部４０１ｄが第１の平坦部に相当し、平坦部４０４ｆが第２の平坦部に相当する。
【０１７７】
なお、本実施例に係るノズルカバー４０１は、銅あるいは銀を含有する抗菌性の高いステンレスを用いることも可能である。また、変形しにくく、一体成形可能な素材を用いることができる。例えば、ステンレス以外の銅、アルミニウム、ニッケル、クロム等の金属を用いてもよいし、その他の合金を用いてもよい。
【０１７８】
本実施例では、治具等を用いて凹部４０１ｃを形成することとしたが、平坦部４０１ｄの変形が生じない場合には、凹部４０１ｃを形成しなくてもよい。
【０１７９】
また、本実施例においては、突起４０４ｄ，４０４ｅまたは係合突起４０２ｂによりノズルカバー４０１内で流路合流部４０４が周方向に確実に位置決めされている場合には、平坦部４０１ｄを形成しなくてもよい。
【産業上の利用可能性】
【０１８０】
本発明は、人体の局部を洗浄するためのノズル装置および衛生洗浄装置等として有用である。
【図面の簡単な説明】
【０１８１】
【図１】本実施例に係る衛生洗浄装置を便器に装着した状態を示す斜視図
【図２】図１の遠隔操作装置の一例を示す模式図
【図３】本実施例に係る衛生洗浄装置の本体部の構成を示す模式図
【図４】熱交換器の構造の一例を示す一部切り欠き断面図
【図５】ポンプの構造の一例を示す断面図
【図６】アンブレラパッキンの動作を説明するための模式図
【図７】図５のポンプの圧力変化を示す図
【図８】（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図９】図８の切替弁の動作を示す断面図
【図１０】図９の切替弁の洗浄水出口から流出する洗浄水の流量を示す図
【図１１】（ａ）はノズル部３０のおしりノズル１のピストン部２０の斜視図であり、（ｂ）はおしりノズル１のピストン部２０における構成の分解を示す斜視図
【図１２】ピストン部２０の分解斜視図
【図１３】（ａ）はピストン部２０の側面図であり、（ｂ）はピストン部２０の平面図
【図１４】おしりノズルの断面図
【図１５】図１４のおしりノズルの動作を説明するための断面図
【図１６】流路合流部４０４を説明するための図
【図１７】図１６（ａ）のＦ−Ｆ線断面図
【符号の説明】
【０１８２】
１  おしりノズル
４  制御部
１３  ポンプ
１４  切替弁
２５  孔部
２５ａ  縮流部
２５ｂ  円筒状渦室
２５ｃ  縮流部
２７ａ，２７ｂ，２７ｃ，２７ｄ  流路
３０  ノズル部
２００  本体部
３００  遠隔操作装置
４０１  ノズルカバー
４０１ａ  噴出孔
４０１ｂ  切欠き
４０１ｃ  凹部
４０１ｄ  平坦部
４０２  二流路管
４０２ｂ  係合突起
４０３  一流路管
４０４  流路合流部
４０４ｂ  Ｏリング
４０４ｃ  位置固定片
４０４ｄ，４０４ｅ  突起
４０４ｆ  平坦部
４２０  洗浄水供給部
５０５  セラミックヒータ
【図１】
2005030094.tif 000003
【図２】
2005030094.tif 000004
【図３】
2005030094.tif 000005
【図４】
2005030094.tif 000006
【図５】
2005030094.tif 000007
【図６】
2005030094.tif 000008
【図７】
2005030094.tif 000009
【図８】
2005030094.tif 000010
【図９】
2005030094.tif 000011
【図１０】
2005030094.tif 000012
【図１１】
2005030094.tif 000013
【図１２】
2005030094.tif 000014
【図１３】
2005030094.tif 000015
【図１４】
2005030094.tif 000016
【図１５】
2005030094.tif 000017
【図１６】
2005030094.tif 000018
【図１７】
2005030094.tif 000019